(57)【要約】【課題】ＤＶＤ／ＣＤとＢＤで共用する光ピックアップにおいて、全反射ミラーを搭載して薄型化を図る場合は、レーザ光を通過させるための空洞が必要であって、トラッキングコイルやマグネットを配置する自由度が少なくなり、トラッキング方向の磁気的な推力による副共振が発生しやすくなるので改善が必要である。【解決手段】光ピックアップの対物レンズやトラッキングコイルを搭載するレンズコイルホルダにおいて、これを支持するサスペンションワイヤの中心に対する推力のバランスを取れるように各コイルを配置する。例えば、トラッキングコイルの大部分をサスペンションワイヤに対して一方の高さ方向に位置させ、チルトコイルを残る一方の高さ方向に位置させる。【選択図】図９
2011181146.tif 000002
【特許請求の範囲】
【請求項１】
光ディスクに対してレーザ光を照射して情報信号を記録し再生する光ディスク装置の光ピックアップであって、
前記レーザ光を前記光ディスクのディスク面に対して平行する線速度方向に発生する複数のレーザ光源と、
該複数のレーザ光源で発生された前記レーザ光の各々が照射され前記光ディスクのディスク面に対して垂直な方向に反射する複数の全反射ミラーと、
該複数の全反射ミラーで反射されたレーザ光の各々が供給され該レーザ光を前記光ディスクに照射するための複数の対物レンズを有する対物レンズ駆動装置を有し、
該対物レンズ駆動装置は、
前記光ディスクにレーザ光を集光させるための複数の対物レンズと、
該対物レンズの前記光ディスク面に対する半径方向位置を制御するための変動磁界を供給する第１及び第２のトラッキングコイルと、
前記対物レンズの前記光ディスク面に対する垂直方向位置を制御するための変動磁界を供給するフォーカスコイルと、
前記複数の対物レンズを前記光ディスクと対向する面に前記光ディスクの半径方向に並べて搭載し、また前記第１及び第２のトラッキングコイルを前記光ディスクの半径方向に平行した側面に搭載し、かつ、フォーカスコイルを周囲に有するレンズコイルホルダと、
該レンズコイルホルダを前記光ディスク面に対する半径方向、及び前記光ディスク面に対する垂直方向に駆動するための直流磁界を生成する前記光ディスクの半径方向に配置された第１及び第２のマグネット群と、
前記第１及び第２のトラッキングコイル及びフォーカスコイルに前記変動磁界を生成させるための制御信号を供給し、また前記レンズコイルホルダを支持する前記光ディスク面に対して平行する線速度方向に設けられたサスペンションワイヤを有し、
前記レンズコイルホルダは、前記レーザ光を前記全反射ミラーに照射するための前記光ディスクの半径方向に広がる空洞を有し、
前記第１のトラッキングコイルは前記レンズコイルホルダにおける前記空洞の上部の側面に配置され、前記第２のトラッキングコイルは前記レンズコイルホルダの前記全反射ミラーを挟んで反対側の側面に配置され、前記第１のトラッキングコイルと第２のトラッキングコイルは前記サスペンションワイヤの中心を挟んで異なる高さ方向位置に設けられたことを特徴とする光ピックアップ。
【請求項２】
光ディスクに対してレーザ光を照射して情報信号を記録し再生する光ディスク装置の光ピックアップであって、
前記レーザ光を前記光ディスクのディスク面に対して平行する線速度方向に発生する複数のレーザ光源と、
該複数のレーザ光源で発生された前記レーザ光の各々が照射され前記光ディスクのディスク面に対して垂直な方向に反射する複数の全反射ミラーと、
該複数の全反射ミラーで反射されたレーザ光の各々が供給され該レーザ光を前記光ディスクに照射するための複数の対物レンズを有する対物レンズ駆動装置を有し、
該対物レンズ駆動装置は、
前記光ディスクにレーザ光を集光させるための複数の対物レンズと、
該対物レンズの前記光ディスク面に対する半径方向位置を制御するための変動磁界を供給する第１及び第２のトラッキングコイルと、
前記対物レンズの前記光ディスク面に対する垂直方向位置を制御するための変動磁界を供給するフォーカスコイルと、
前記対物レンズの前記光ディスク面に対する傾き方向位置を制御するための変動磁界を供給するチルトコイルと、
前記複数の対物レンズを前記光ディスクと対向する面に前記光ディスクの半径方向に並べて搭載し、また前記第１及び第２のトラッキングコイルを前記光ディスクの半径方向に平行した側面に搭載するレンズコイルホルダと、
該レンズコイルホルダを前記光ディスクの半径方向、前記光ディスク面に対する垂直方向、及び前記光ディスクに対する傾き方向に駆動するための直流磁界を生成する前記光ディスクの半径方向に配置された第１及び第２のマグネット群と、
前記第１及び第２のトラッキングコイル、前記フォーカスコイル、及び前記チルトコイルに前記変動磁界を生成させるための制御信号を供給し、また前記レンズコイルホルダを支持する前記光ディスク面に対して平行する線速度方向に設けられたサスペンションワイヤを有し、
前記レンズコイルホルダは、前記レーザ光を前記全反射ミラーに照射するための前記光ディスクの半径方向に広がる空洞を有し、
前記第１のトラッキングコイルは前記レンズコイルホルダにおける前記空洞の上部の側面に配置され、前記第２のトラッキングコイルは前記レンズコイルホルダの前記全反射ミラーを挟んで反対側の側面に配置され、前記チルトコイルは前記第２のトラッキングコイルと同じ側面に配置され、前記第１のトラッキングコイルと第２のトラッキングコイルの大部分は前記サスペンションワイヤに対して一方の高さ方向位置に設けられ、前記チルトコイルは前記サスペンションワイヤに対して残る一方の高さ方向位置に設けられたことを特徴とする光ピックアップ。
【請求項３】
光ディスクに対してレーザ光を照射して情報信号を記録し再生する光ディスク装置の光ピックアップであって、
前記レーザ光を前記光ディスクのディスク面に対して平行する線速度方向に発生する複数のレーザ光源と、
該複数のレーザ光源で発生された前記レーザ光の各々が照射され前記光ディスクのディスク面に対して垂直な方向に反射する複数の全反射ミラーと、
該複数の全反射ミラーで反射されたレーザ光の各々が供給され該レーザ光を前記光ディスクに照射するための複数の対物レンズを有する対物レンズ駆動装置を有し、
該対物レンズ駆動装置は、
前記光ディスクにレーザ光を集光させるための複数の対物レンズと、
該対物レンズの前記光ディスク面に対する半径方向位置を制御するための変動磁界を供給する第１及び第２のトラッキングコイルと、
前記対物レンズの前記光ディスク面に対する垂直方向位置を制御するための変動磁界を供給するフォーカスコイルと、
前記対物レンズの前記光ディスク面に対する傾き方向位置を制御するための変動磁界を供給するチルトコイルと、
前記複数の対物レンズを前記光ディスクと対向する面に前記光ディスクの半径方向に並べて搭載し、また前記第１及び第２のトラッキングコイルを前記光ディスクの半径方向に平行した側面に搭載するレンズコイルホルダと、
前記レンズコイルホルダを前記光ディスクの半径方向、及び前記光ディスク面に対する垂直方向、及び前記光ディスクに対する傾き方向に駆動するための直流磁界を生成する前記光ディスクの半径方向に配置された第１及び第２のマグネット群と、
前記第１及び第２のトラッキングコイル、フォーカスコイル、及びチルトコイルに前記磁界を生成させるための制御信号を供給し、また前記レンズコイルホルダを支持する前記光ディスク面に対して平行する線速度方向に設けられたサスペンションワイヤを有し、
前記レンズコイルホルダは、前記レーザ光を前記全反射ミラーに照射するための前記光ディスクの半径方向に広がる空洞を有し、
前記第１のトラッキングコイルは前記レンズコイルホルダにおける前記空洞の上部の側面に配置され、前記第２のトラッキングコイルは前記レンズコイルホルダの前記全反射ミラーを挟んで反対側の側面に配置され、前記チルトコイルは前記第２のトラッキングコイルと同じ側面に配置され、前記第１のトラッキングコイルは前記サスペンションワイヤに対して一方の高さ方向位置に設けられ、前記第２のトラッキングコイルは前記サスペンションワイヤに対して残る一方の高さ方向位置に設けられ、前記チルトコイルの高さ中心は前記サスペンションワイヤの高さ位置に設けられたことを特徴とする光ピックアップ。
【請求項４】
請求項１ないし請求項３のいずれか１項に記載の光ピックアップにおいて、前記第１及び第２のマグネット群を搭載するマグネットホルダを有し、該マグネットホルダは、前記レーザ光を前記全反射ミラーに照射するための前記光ディスクの半径方向に広がる空洞を有し、前記第１のマグネット群は前記マグネットホルダにおける前記空洞の上部の側面に配置され、前記第２のマグネット群は前記マグネットホルダの前記全反射ミラーを挟んで反対側の側面に配置されたことを特徴とする光ピックアップ。
【発明の詳細な説明】
【技術分野】
【０００１】
本発明は光ディスク装置で使用する光ピックアップに係り、特に副共振を低減した光ピックアップに関するものである。
【背景技術】
【０００２】
光ディスク装置の分野では昨今の薄型化の要求に応じて、光ディスクに対してレーザ光を照射して情報信号を記録し再生するための光ピックアップにおいても、薄型化が進められている。光ピックアップの薄型化を進めるうえでは、対物レンズや駆動用のコイルを搭載したレンズコイルホルダが移動する際の、副共振を低減することが重要である。副共振は、記録再生動作を不安定にする大きな要因となる。
特許文献１においてはこの件に係り、レンズホルダを支持する４本のワイヤに対して第１のコイルを一方に、第２のコイルを残る一方に配置した光ピックアップ装置を開示している。
【先行技術文献】
【特許文献】
【０００３】
【特許文献１】特開２００４−２８１０１８号公報
【発明の概要】
【発明が解決しようとする課題】
【０００４】
最近の薄型化された光ピックアップにおいては多くの場合、レーザ光源で発生されたレーザ光は、まず光ディスク面に対し略平行に進行し、光ピックアップ内の全反射ミラーで全反射され、対物レンズを介して光ディスクに対し垂直に照射される。これに対して全反射ミラーを使用しない場合には、対物レンズの真下に設けられたレーザ光源で発生されたレーザ光がそのまま直進して、対物レンズから光ディスクに照射される構成となる。これは光ピックアップの厚みを増加させるので、薄型化を進めるうえで望ましくない。
全反射ミラーを使用する場合には、光ピックアップにおける直流磁界を発生するマグネットホルダや前記レンズコイルホルダには、レーザ光を通過させる空洞が必要である。
【０００５】
一方で現在、ＢＤ（Blu-ray Disc）の普及が進んでいる。これに伴い光ピックアップでは、ＢＤ用及び従来のＤＶＤ（Digital Versatile Disc）／ＣＤ（Compact Disc）用の二つの構成要素を備えるものが増加している。このための光ピックアップでは、対物レンズ、レーザ光源や全反射ミラーが二つ必要なことはもちろん、前記レーザ光を通過させるマグネットホルダやレンズコイルホルダの空洞の幅を広くする必要がある。実際にはこれらホルダの一面は一定の高さまでは、ほぼ前記空洞で占められることになる。このため、これらホルダの一面ではマグネットやトラッキングコイルをはじめとするコイルを配置する自由度が少なく、特に前記空洞と略同じ高さには配置すること自体が困難である。例えば、特許文献１の図４で示されるようなマグネットやコイルの配置をすることは困難であり、前記した副共振を低減するためには新たな配置方法が課題となっている。
本発明の目的は前記した課題に鑑み、副共振を低減した光ピックアップを提供することにある。
【課題を解決するための手段】
【０００６】
前記課題を解決するため本発明は、光ディスクに対してレーザ光を照射して情報信号を記録し再生する光ディスク装置の光ピックアップであって、前記レーザ光を前記光ディスクのディスク面に対して平行する線速度方向に発生する複数のレーザ光源と、該複数のレーザ光源で発生された前記レーザ光の各々が照射され前記光ディスクのディスク面に対して垂直な方向に反射する複数の全反射ミラーと、該複数の全反射ミラーで反射されたレーザ光の各々が供給され該レーザ光を前記光ディスクに照射するための複数の対物レンズを有する対物レンズ駆動装置を有し、該対物レンズ駆動装置は、前記光ディスクにレーザ光を集光させるための複数の対物レンズと、該対物レンズの前記光ディスク面に対する半径方向位置を制御するための変動磁界を供給する第１及び第２のトラッキングコイルと、前記対物レンズの前記光ディスク面に対する垂直方向位置を制御するための変動磁界を供給するフォーカスコイルと、前記複数の対物レンズを前記光ディスクと対向する面に前記光ディスクの半径方向に並べて搭載し、また前記第１及び第２のトラッキングコイルを前記光ディスクの半径方向に平行した側面に搭載し、かつ、フォーカスコイルを周囲に有するレンズコイルホルダと、該レンズコイルホルダを前記光ディスク面に対する半径方向、及び前記光ディスク面に対する垂直方向に駆動するための直流磁界を生成する前記光ディスクの半径方向に配置された第１及び第２のマグネット群と、前記第１及び第２のトラッキングコイル及びフォーカスコイルに前記変動磁界を生成させるための制御信号を供給し、また前記レンズコイルホルダを支持する前記光ディスク面に対して平行する線速度方向に設けられたサスペンションワイヤを有し、前記レンズコイルホルダは、前記レーザ光を前記全反射ミラーに照射するための前記光ディスクの半径方向に広がる空洞を有し、前記第１のトラッキングコイルは前記レンズコイルホルダにおける前記空洞の上部の側面に配置され、前記第２のトラッキングコイルは前記レンズコイルホルダの前記全反射ミラーを挟んで反対側の側面に配置され、前記第１のトラッキングコイルと第２のトラッキングコイルは前記サスペンションワイヤの中心を挟んで異なる高さ方向位置に設けられたことを特徴としている。
【０００７】
また本発明は、光ディスクに対してレーザ光を照射して情報信号を記録し再生する光ディスク装置の光ピックアップであって、前記レーザ光を前記光ディスクのディスク面に対して平行する線速度方向に発生する複数のレーザ光源と、該複数のレーザ光源で発生された前記レーザ光の各々が照射され前記光ディスクのディスク面に対して垂直な方向に反射する複数の全反射ミラーと、該複数の全反射ミラーで反射されたレーザ光の各々が供給され該レーザ光を前記光ディスクに照射するための複数の対物レンズを有する対物レンズ駆動装置を有し、該対物レンズ駆動装置は、前記光ディスクにレーザ光を集光させるための複数の対物レンズと、該対物レンズの前記光ディスク面に対する半径方向位置を制御するための変動磁界を供給する第１及び第２のトラッキングコイルと、前記対物レンズの前記光ディスク面に対する垂直方向位置を制御するための変動磁界を供給するフォーカスコイルと、前記対物レンズの前記光ディスク面に対する傾き方向位置を制御するための変動磁界を供給するチルトコイルと、前記複数の対物レンズを前記光ディスクと対向する面に前記光ディスクの半径方向に並べて搭載し、また前記第１及び第２のトラッキングコイルを前記光ディスクの半径方向に平行した側面に搭載するレンズコイルホルダと、該レンズコイルホルダを前記光ディスクの半径方向、前記光ディスク面に対する垂直方向、及び前記光ディスクに対する傾き方向に駆動するための直流磁界を生成する前記光ディスクの半径方向に配置された第１及び第２のマグネット群と、前記第１及び第２のトラッキングコイル、前記フォーカスコイル、及び前記チルトコイルに前記変動磁界を生成させるための制御信号を供給し、また前記レンズコイルホルダを支持する前記光ディスク面に対して平行する線速度方向に設けられたサスペンションワイヤを有し、前記レンズコイルホルダは、前記レーザ光を前記全反射ミラーに照射するための前記光ディスクの半径方向に広がる空洞を有し、前記第１のトラッキングコイルは前記レンズコイルホルダにおける前記空洞の上部の側面に配置され、前記第２のトラッキングコイルは前記レンズコイルホルダの前記全反射ミラーを挟んで反対側の側面に配置され、前記チルトコイルは前記第２のトラッキングコイルと同じ側面に配置され、前記第１のトラッキングコイルと第２のトラッキングコイルの大部分は前記サスペンションワイヤに対して一方の高さ方向位置に設けられ、前記チルトコイルは前記サスペンションワイヤに対して残る一方の高さ方向位置に設けられたことを特徴としている。
【０００８】
また本発明は、光ディスクに対してレーザ光を照射して情報信号を記録し再生する光ディスク装置の光ピックアップであって、前記レーザ光を前記光ディスクのディスク面に対して平行する線速度方向に発生する複数のレーザ光源と、該複数のレーザ光源で発生された前記レーザ光の各々が照射され前記光ディスクのディスク面に対して垂直な方向に反射する複数の全反射ミラーと、該複数の全反射ミラーで反射されたレーザ光の各々が供給され該レーザ光を前記光ディスクに照射するための複数の対物レンズを有する対物レンズ駆動装置を有し、該対物レンズ駆動装置は、前記光ディスクにレーザ光を集光させるための複数の対物レンズと、該対物レンズの前記光ディスク面に対する半径方向位置を制御するための変動磁界を供給する第１及び第２のトラッキングコイルと、前記対物レンズの前記光ディスク面に対する垂直方向位置を制御するための変動磁界を供給するフォーカスコイルと、前記対物レンズの前記光ディスク面に対する傾き方向位置を制御するための変動磁界を供給するチルトコイルと、前記複数の対物レンズを前記光ディスクと対向する面に前記光ディスクの半径方向に並べて搭載し、また前記第１及び第２のトラッキングコイルを前記光ディスクの半径方向に平行した側面に搭載するレンズコイルホルダと、前記レンズコイルホルダを前記光ディスクの半径方向、及び前記光ディスク面に対する垂直方向、及び前記光ディスクに対する傾き方向に駆動するための直流磁界を生成する前記光ディスクの半径方向に配置された第１及び第２のマグネット群と、前記第１及び第２のトラッキングコイル、フォーカスコイル、及びチルトコイルに前記磁界を生成させるための制御信号を供給し、また前記レンズコイルホルダを支持する前記光ディスク面に対して平行する線速度方向に設けられたサスペンションワイヤを有し、前記レンズコイルホルダは、前記レーザ光を前記全反射ミラーに照射するための前記光ディスクの半径方向に広がる空洞を有し、前記第１のトラッキングコイルは前記レンズコイルホルダにおける前記空洞の上部の側面に配置され、前記第２のトラッキングコイルは前記レンズコイルホルダの前記全反射ミラーを挟んで反対側の側面に配置され、前記チルトコイルは前記第２のトラッキングコイルと同じ側面に配置され、前記第１のトラッキングコイルは前記サスペンションワイヤに対して一方の高さ方向位置に設けられ、前記第２のトラッキングコイルは前記サスペンションワイヤに対して残る一方の高さ方向位置に設けられ、前記チルトコイルの高さ中心は前記サスペンションワイヤの高さ位置に設けられたことを特徴としている。
【発明の効果】
【０００９】
本発明によれば、副共振を低減した光ピックアップを提供でき、光ディスク装置の基本性能の向上に寄与できるという効果がある。
【図面の簡単な説明】
【００１０】
【図１】本発明の一実施例における光ピックアップのブロック図である。
【図２】実施例１における対物レンズ駆動装置の平面図と側面図である。
【図３】実施例１における対物レンズ駆動装置の断面図である。
【図４】実施例１における対物レンズ駆動装置の外観図である。
【図５】実施例１におけるマグネットホルダの外観図である。
【図６】実施例１におけるマグネットホルダの別な外観図である。
【図７】実施例１におけるレンズコイルホルダ周辺の外観図である。
【図８】実施例１におけるレンズコイルホルダ周辺の別な外観図である。
【図９】実施例２における対物レンズ駆動装置の平面図と側面図である。
【図１０】実施例２における対物レンズ駆動装置の断面図である。
【図１１】実施例２における対物レンズ駆動装置の外観図である。
【図１２】実施例２におけるマグネットホルダの外観図である。
【図１３】実施例２におけるマグネットホルダの別な外観図である。
【図１４】実施例２における対物レンズホルダ周辺の外観図である。
【図１５】実施例２における各コイルの位置を示す断面図である。
【図１６】実施例３における対物レンズ駆動装置の平面図と側面図である。
【図１７】実施例３における対物レンズホルダ周辺の外観図である。
【図１８】実施例３における各コイルの位置を示す断面図である。
【図１９】実施例３におけるマグネットホルダの外観図である。
【図２０】実施例３におけるマグネットホルダの別な外観図である。
【発明を実施するための形態】
【００１１】
以下、本発明の実施例につき図面を用いて説明する。まず、光ディスク装置で使用する光ピックアップの全体構成について、図１を用いて説明する。
図１は、本発明の一実施例における光ピックアップのブロック図である。前記したようなＤＶＤ／ＣＤ、ＢＤの双方に対応した光ピックアップを示している。
【００１２】
図１において、光ピックアップは最も基本的な構成要素として、対物レンズ駆動装置１、レーザ光源２１Ａ、２１Ｂ、光検出器３１Ａ、３１Ｂ、全反射ミラー（図示のように全反射と透過の双方を行うビームスプリッタでもあって良い）１１０Ａ、１１０Ｂを有している。対物レンズ駆動装置１は後記するように多数の構成要素を含むが、ここでは対物レンズ１０１、１０２を示している。図中の矢印はレーザ光源２１Ａないし２１Ｂで発生されたレーザ光の光路を示す。
【００１３】
左半分に示したレーザ光源２１Ａ、全反射ミラー１１０Ａ、対物レンズ１０１、光検出器３１ＡはＤＶＤ／ＣＤ用の構成要素であり、残る右半分はＢＤ用の構成要素であるとする。例えば、ＢＤ用のレーザ光源２１Ｂで発生された青系レーザ光は、全反射ミラー１１０Ｂで全反射されて対物レンズ１０２に至る。さらに図示しない光ディスク面に照射され、レーザ光の有する情報は光ディスクに記録される。また、光ディスク面から反射されて対物レンズ１０２で集光されたレーザ光は、光検出器３１Ｂに至り、図示しない後段の信号処理回路において、光ディスクに記録されていた情報が再生される。ＤＶＤ／ＣＤ用のレーザ光源２１Ａで発生された赤（赤外）系レーザ光に関しては、全反射ミラー１１０Ａ、対物レンズ１０１、光検出器３１Ａを用いて同様な記録再生処理が行われる。
【００１４】
なお実際の光ピックアップでは、レーザ光源２１Ａ、２１Ｂから出射された発散光を平行光にするコリメートレンズをはじめ、さらに多くの構成要素を有しているが、説明の煩雑化を避けるため記述を省略する。
以下、図１で示した光ピックアップの構成要素のうち対物レンズ駆動装置１に重点を置いて、本発明の実施例を図面に基づき説明する。
【実施例１】
【００１５】
図２は、実施例１における対物レンズ駆動装置１の平面図と側面図である。中央が平面図であり、図面上で上下方向は光ディスクの半径方向であるトラッキング方向、左右方向は線速度方向であるタンジェント方向、垂直方向はフォーカス方向である。平面図に対して、左方向、右方向、下方向から見た側面図を併せて示している。
【００１６】
第１の対物レンズ１０１（例えばＤＶＤ／ＣＤ用レンズ）及び、第２の対物レンズ１０２（例えばＢＤ用レンズ）がレンズコイルホルダ１０３に搭載されている。レンズコイルホルダ１０３は、第１の対物レンズ１０１及び第２の対物レンズ１０２をトラッキング方向やフォーカス方向に移動させるアクチュエータ機能を有する。これにより、光ディスクの記録トラックに対するトラッキング制御やフォーカス制御が行われる。
【００１７】
周知のとおり、これらは磁界により制御するものである。第１の導電基板１０７Ａから供給されるトラッキング制御信号やフォーカス制御信号は、サスペンションワイヤ１０９Ａ〜１０９Ｆ（１０９Ｄと１０９Ｅには符号を付していないが、後の図で示される）を介して第２の導電基板１０７Ｂに送られる。次いでトラッキング制御信号は、第２の導電基板１０７Ｂからトラッキングコイル１０４Ａ〜１０４Ｈ（１０４Ｆ〜１０４Ｈは示されていないが、後の図で示される）に供給される。トラッキングコイル１０４Ａ〜１０４Ｈは前記トラッキング制御信号に基づき変動する磁界を発生させ、対物レンズ１０１及び対物レンズ１０２を搭載したレンズコイルホルダ１０３は該磁界に応じて、対物レンズ１０１ないし１０２を通過したレーザ光が光ディスクの記録トラックの中心をトレースするように制御する。またフォーカス制御信号は、第２の導電基板１０７Ｂからフォーカスコイル１０５に供給される。フォーカスコイル１０５は前記フォーカス制御信号に基づき変動する磁界を発生させ、対物レンズ１０１及び対物レンズ１０２を搭載したレンズコイルホルダ１０３は該磁界に応じて、対物レンズ１０１ないし１０２を通過したレーザ光が光ディスクの記録面にフォーカスを結ぶように制御する。
【００１８】
レンズコイルホルダ１０３には、対物レンズ１０１、１０２、トラッキングコイル１０４Ａ〜１０４Ｈ、フォーカスコイル１０５が搭載されている。サスペンションワイヤ１０９Ａ〜１０９Ｆは、前記した制御信号を伝達するほか、第１の導電用基板１を介してダンピングホルダ１０８にレンズコイルホルダ１０３を弾性支持する作用を有している。
なお、ここではマグネットが６個、トラッキングコイルが８個、フォーカスコイルが１個、サスペンションワイヤが６個である例を示したが、これは一例であってこれらの数が異なる場合も本実施例の範疇にある。
【００１９】
第２の対物レンズ１０２に到る、レーザ光の光路について説明する。
図３は、実施例１における対物レンズ駆動装置１の断面図であり、図１において対物レンズ１０２の中心を左右方向に切断した場合の断面図であるが、もちろん対物レンズ１０１の中心で切断した場合も、類似した断面図となる。
【００２０】
図３において、破線で囲った部分はレーザ光の光路を示している。レーザ光源（図示せず）で発生されたレーザ光は、図の左側より全反射ミラー１１０Ｂに入射され、対物レンズ１０２に向けて図の上方向に全反射される。前記したように図３に示す構成は、光ピックアップを薄型化するうえで有効である。本実施例のように対物レンズが複数の場合には、レーザ光を通過させるための大きな空洞が図３の奥行方向に必要となる。
実際の空洞の大きさにも含め、図４〜図８を用いてさらに詳しく示す。
【００２１】
図４は、実施例１における対物レンズ駆動装置１の外観図であり、図２の中央の平面図に対して斜め左上側から描いたものである。マグネット１０６Ａ〜１０６Ｆが搭載されたマグネットホルダ１０６Ｚにおいて、図の左手前側にはレーザ光を通過させるための大きな空洞が設けられている。少なくとも、空洞の両側にはマグネットを配置することは困難である。
【００２２】
図５は、実施例１におけるマグネットホルダ１０６Ｚの外観図であり、図４と同じ方向から描いたものである。図６は、実施例１におけるマグネットホルダ１０６Ｚの別な外観図であり、図５の右方向から描いたものである。マグネットホルダ１０６Ｚには、前記対物レンズ１０１と１０２を搭載したレンズコイルホルダ１０３に対して直流磁界を与えるためのマグネット１０６Ａ〜１０６Ｆが搭載されている。先に図３で示したとおり、対向するマグネット１０６Ａ〜１０６Ｃと１０６Ｄ〜１０６Ｆの間には、全反射ミラー１１０Ｂが設けられている。そこで、レーザ光が入射する側に設けられたマグネット１０６Ａ〜１０６Ｃは、入射するレーザ光を通過させる空洞の上側に設けられる。これらと対向した位置にあるマグネット１０６Ｄ〜１０６Ｆは、入射するレーザ光の正面側、すなわち全反射ミラーの裏側のほぼ全面を利用して設けられる。
【００２３】
図７は、実施例１におけるレンズコイルホルダ１０３周辺の外観図であり、図４と比較してマグネット１０６Ａ〜１０６Ｆ、及びマグネットホルダ１０６Ｚを除去した状態を描いている。図８は、実施例１におけるレンズコイルホルダ１０３周辺の別な外観図であり、図７の右方向から描いたものである。トラッキングコイル１０４Ａ〜１０４Ｈが搭載されたレンズコイルホルダ１０３において、図７の左手前側にはレーザ光を通過させるための大きな空洞が設けられている。少なくも空洞の両側にはトラッキングコイルを配置することは困難である。そこで、レーザ光が入射する側に設けられたトラッキングコイル１０４Ａ〜１０４Ｄは、入射するレーザ光を通過させる空洞の上側に設けられる。これらと対向した位置にあるトラッキングコイル１０４Ｅ〜１０４Ｈは、入射するレーザ光の正面側、即ち全反射ミラーの裏側に設けられる。
【００２４】
次に本実施例における副共振を低減させるための、トラッキングコイル１０４Ａ〜１０４Ｈの配置方法について説明する。
記録再生動作の不具合を引き起こす副共振とは、トラッキングコイル１０４Ａ〜１０４Ｈが誘起する磁界が発生する推力に起因している。例えば推力がレンズコイルホルダ１０３の上側に集中した場合は、レンズコイルホルダ１０３が倒れ込む方向に機能するため、前記した副共振を引き起こす。
【００２５】
本実施例においては副共振を低減するため、推力が倒れ込む力を発生しないようにトラッキングコイル１０４Ａ〜１０４Ｈの配置を定めることを特徴としている。図２ないし図８において、レンズコイルホルダ１０３を支持するサスペンションワイヤ１０９Ａ〜１０９Ｆのうち、中央に位置するサスペンションワイヤ１０９Ｂ、１０９Ｅを高さ中心とした力学的なモーメントを考える。レンズコイルホルダ１０３において、サスペンションワイヤ１０９Ｂ、１０９Ｅよりも上側部分の重心にかかる推力の、サスペンションワイヤ１０９Ｂ、１０９Ｅに対するモーメントをＡとする。また、レンズコイルホルダ１０３において、サスペンションワイヤ１０９Ｂ、１０９Ｅよりも下側部分の重心にかかる推力の、サスペンションワイヤ１０９Ｂ、１０９Ｅに対するモーメントをＢとする。モーメントＡとＢが等しければ、前記した倒れ込みは発生せず副共振は大幅に低減される。
【００２６】
実際には、レンズコイルホルダ１０３に搭載される構成要素の重量では、トラッキングコイル１０４Ａ〜１０４Ｈの重量が大きな比率を占めている。従い前記副共振を低減するためには、サスペンションワイヤ１０９Ｂ、１０９Ｅに対するトラッキングコイル１０４Ａ〜１０４Ｈの配置方法が重要な課題となる。
【００２７】
実施例１では、図２、図４、図７、図８で示したとおり、レーザ光の入射する空洞やサスペンションワイヤ１０９Ｂ、１０９Ｅの上側に設けられたトラッキングコイル１０４Ａ〜１０４Ｄに対して、対向するトラッキングコイル１０４Ｅ〜１０４Ｈを、入射するレーザ光の正面側、全反射ミラーの裏側、即ちサスペンションワイヤ１０９Ｂ、１０９Ｅの下側に設けたことを一つの特徴としている。このため実施例１は、前記した推力によって副共振が発生して記録再生動作の不具合を引き起こす現象を、大幅に改善することができる。
【００２８】
なお、対物レンズ駆動装置１には、前記したトラッキングコイルとフォーカスコイルのほかに、対物レンズの傾きを補正するためのチルトコイルを有することが多い。これについては具体的に示さなかったが、例えば図２の中央の平面図で、レンズコイルホルダ１０３における第２の対物レンズ１０２の下側（図面上で）に、チルトコイルを搭載する方法がある。この場合、チルトコイルはフォーカスコイル１０５に対しては平行する方向に、トラッキングコイル１０４Ａ〜１０４Ｈに対しては直交する方向に設けられる。
【実施例２】
【００２９】
次に実施例１とは異なる本発明の実施例を説明する。以下、実施例１とは異なる事項を中心に述べ、概略同等で良い構成要素については同じ番号を付して、詳しい説明を省略することがある。
【００３０】
図９は、実施例２における対物レンズ駆動装置１の平面図と側面図である。図２とは異なり、トラッキングコイルは１０４Ｉ〜１０４Ｌの４個であり、マグネットは１０６Ｇ〜１０６Ｎの８個である。新たに２個のチルトコイル１１１Ａ、１１１Ｂが設けられている。６個のサスペンションワイヤ１０９Ａ〜１０９Ｆは、図２と比較して支持中心が上方向に移動されている。
【００３１】
図１０は、実施例２における対物レンズ駆動装置１の断面図である。先の図３と同様な方法で描いており、破線はレーザ光の光路を示している。
レーザ光源（図示せず）で発生されたレーザ光は、図の左側より全反射ミラー１１０Ｂに入射され、対物レンズ１０２に向けて図の上方向に全反射されるため、本実施例のように対物レンズが複数の場合には、レーザ光を通過させるための大きな空洞が図１０の奥行方向に必要となる。
【００３２】
図１１は、実施例２における対物レンズ駆動装置１の外観図である。先の図４と同様な方法で描いている。マグネット１０６Ｇ〜１０６Ｎが搭載されたマグネットホルダ１０６Ｚにおいて、図の左手前側にはレーザ光を通過させるための大きな空洞が設けられている。少なくも、空洞の両側にはマグネットを配置することは困難である。
【００３３】
図１２は、実施例２におけるマグネットホルダ１０６Ｚの外観図であり、図１１と同じ方向から描いたものである。図１３は、実施例２におけるマグネットホルダ１０６Ｚの別な外観図であり、図１２の右方向から描いたものである。マグネットホルダ１０６Ｚには、直流磁界を与えるためのマグネット１０６Ｇ〜１０６Ｎが搭載されている。図１０で示したとおり、対向するマグネット１０６Ｇ〜１０６Ｉと１０６Ｊ〜１０６Ｎの間には、全反射ミラー１１０Ｂが設けられている。そこで、レーザ光が入射する側に設けられたマグネット１０６Ｇ〜１０６Ｉは、入射するレーザ光を通過させる空洞の上側に設けられる。これらと対向した位置にあるマグネット１０６Ｊ〜１０６Ｎは、入射するレーザ光の正面側、すなわち全反射ミラーの裏側を利用して設けられる。
【００３４】
図１４は、実施例２における対物レンズホルダ周辺の外観図であり、例えばレンズコイルホルダ１０３などを除去して、対物レンズ１０１、１０２、トラッキングコイル１０４Ｉ〜１０４Ｌ、トラッキングコイル１０５、チルトコイル１１１Ａ、１１１Ｂ、マグネット１０６Ｇ〜１０６Ｎの相対的な位置が分かるように描いている。図示しないレンズコイルホルダ１０３において、図１４の左手前側にはレーザ光を通過させるための大きな空洞が設けられている。少なくも空洞の両側にはトラッキングコイルを配置することは困難である。そこで、レーザ光が入射する側に設けられたトラッキングコイル１０４Ｉ、１０４Ｊは、入射するレーザ光を通過させる空洞の上側に設けられる。これらと対向した位置には、トラッキングコイル１０４Ｋ、１０４Ｌが設けられる。先の実施例１では、トラッキングコイル１０４Ｅ〜１０４Ｈは、トラッキングコイル１０４Ａ〜１０４Ｄに対して、サスペンションワイヤ１０９Ｂ、１０９Ｅを挟んで反対側の高さに位置したが、実施例２では、トラッキングコイル１０４Ｋ、１０４Ｌは、トラッキングコイル１０４Ｉ、１０４Ｊに近い高さにある。
【００３５】
図１５は、実施例２における各コイルの位置を示す断面図であり、図１４における対物レンズ１０１と１０２の双方の中心を通る断面で描いたものである。図中の一点破線は、サスペンションワイヤ１０９Ｂ、１０９Ｅの高さ中心を示す。
図１５において、チルトコイル１１１Ａはマグネット１０６Ｊ、及びマグネット１０６Ｊとは極性の異なるマグネット１０６Ｎの双方に対して、略同じ面積ずつ重畳するように配置されている。同様にして、チルトコイル１１１Ｂはマグネット１０６Ｌ、及びマグネット１０６Ｌとは極性の異なるマグネット１０６Ｍの双方に対して、略同じ面積ずつ重畳するように配置されている。このため、チルトコイル１１１Ａ、１１１Ｂは対物レンズの各チルト方向に対して推力を発生することができるため、小型のコイルであっても目的を達成することができる。尚、本実施例において、チルトコイルの効率低下が問題でなければ、マグネット１０６Ｍ、１０６Ｎはなくともよい。
【００３６】
一方、先の図９における下側からの側面図でも示されるように、サスペンションワイヤ１０９Ｂと１０９Ｅの高さは図１５のフォーカスコイル１０５の高さにあるが、フォーカスコイル１０５の高さ中心よりは低い位置となっている。このため、トラッキングコイル１０４Ｉ〜１０４Ｌにおいて質量や推力は、サスペンションワイヤ１０９Ｂと１０９Ｅを挟んで、下側よりも上側の方が大きい。一方、チルトコイル１１１Ａと１１１Ｂは主にサスペンションワイヤ１０９Ｂと１０９Ｅの下側に位置している。これによりトラッキングコイル１０４Ｉ〜１０４Ｌの発生するトラッキング方向の推力のモーメントにつき、サスペンションワイヤ１０９Ｂと１０９Ｅを挟んだ両側で略等しくすることができる。これにより実施例２は、前記した推力によって副共振が発生して記録再生動作の不具合を引き起こす現象を、大幅に改善することができる。
【００３７】
実施例２は実施例１と比較し、チルトコイル１１１Ａと１１１Ｂを考慮して副共振を低減する点が異なる。
なお実施例２においても、示した各構成要素の数は一例であって異なる他の例を考えることができるが、いずれも本実施例の範疇にある。
【実施例３】
【００３８】
次に実施例１と実施例２の特徴を併せ備えた、本発明のさらに異なる実施例を説明する。
図１６は、実施例３における対物レンズ駆動装置１の平面図と側面図である。
図１７は、実施例３における対物レンズホルダ周辺の外観図であり、実施例２の図１４と同様な方法で描いている。
【００３９】
図１８は、実施例３における各コイルの位置を示す断面図であり、実施例２の図１５と同様な方法で描いている。図中の一点破線は、サスペンションワイヤ１０９Ｂ、１０９Ｅの高さ中心を示す。また、破線で示したトラッキングコイル１０４Ｍと１０４Ｎは、トラッキングコイル１０４Ｐ、１０４Ｑと対向する面にあるので、本来はこの断面図には存在しないが、相対的な高さ位置が分かるようにするために描き加えている。
図１９は、実施例３におけるマグネットホルダの外観図であり、図２０は、実施例３におけるマグネットホルダの別な外観図である。いずれも実施例２の図１２、図１３と同様な方法で描いている。
【００４０】
即ち実施例３は、トラッキングコイルやマグネットの数は実施例２と同様であるが、配置が異なっている。トラッキングコイル１０４Ｐと１０４Ｑが、トラッキングコイル１０４Ｍと１０４Ｎとは高さ位置が異なり、サスペンションワイヤ１０９Ｂ、１０９Ｅを挟んで上下に位置することでは実施例１に類似している。このためサスペンションワイヤ１０９Ｂ、１０９Ｅは、実施例１と同様な高さにあって良い。また、チルトコイル１１１Ａは、互いに極性の異なるマグネット１０６Ｓと１０６Ｗに略同じ面積ずつ重畳し、チルトコイル１１１Ｂは、互いに極性の異なるマグネット１０６Ｔと１０６Ｕに略同じ面積ずつ重畳することでは実施例２に類似している。チルトコイル１１１Ａと１１１Ｂは、サスペンションワイヤ１０９Ｂ、１０９Ｅの高さ位置に対して略対称に設けられている。以上の配置変更に伴い図１９と図２０で示すように、各マグネットの配置と極性は図１２や図１３とは異なっている。尚、本実施例において、チルトコイルの効率低下が問題でなければ、マグネット１０６Ｓ、１０６Ｔはなくともよい。
【００４１】
実施例３では実施例１と同様に、レーザ光の入射する空洞やサスペンションワイヤ１０９Ｂ、１０９Ｅの上側に設けられたトラッキングコイル１０４Ｍと１０４Ｎに対して、対向するトラッキングコイル１０４Ｐと１０４Ｑを、入射するレーザ光の正面側、全反射ミラーの裏側、即ちサスペンションワイヤ１０９Ｂ、１０９Ｅの下側に設けたことを一つの特徴としている。また、チルトコイル１１１Ａと１１１Ｂは、サスペンションワイヤ１０９Ｂ、１０９Ｅの高さ位置に対して略対称に設けられている。これにより実施例３においても、前記した推力によって副共振が発生して記録再生動作の不具合を引き起こす現象を、大幅に改善することができる。
ここまで示した実施形態は一例であって、本発明を限定するものではない。本発明の趣旨に基づきながら異なる実施形態を考えられるが、いずれも本発明の範疇にある。
【符号の説明】
【００４２】
１：対物レンズ駆動装置、１０１：第１の対物レンズ、１０２：第２の対物レンズ、１０３：レンズコイルホルダ、１０４Ａ〜１０４Ｑ：トラッキングコイル、１０５：フォーカスコイル、１０６Ａ〜１０６Ｗ：マグネット、１０６Ｚ：マグネットホルダ、１０７Ａ：第１の導電基板、１０７Ｂ：第２の導電基板、１０８：ダンピングホルダ、１０９Ａ〜１０９Ｆ：サスペンションワイヤ、１１０Ａ，１１０Ｂ：全反射ミラー、１１１Ａ，１１１Ｂ：チルトコイル。
【図１】
2011181146.tif 000003
【図２】
2011181146.tif 000004
【図３】
2011181146.tif 000005
【図４】
2011181146.tif 000006
【図５】
2011181146.tif 000007
【図６】
2011181146.tif 000008
【図７】
2011181146.tif 000009
【図８】
2011181146.tif 000010
【図９】
2011181146.tif 000011
【図１０】
2011181146.tif 000012
【図１１】
2011181146.tif 000013
【図１２】
2011181146.tif 000014
【図１３】
2011181146.tif 000015
【図１４】
2011181146.tif 000016
【図１５】
2011181146.tif 000017
【図１６】
2011181146.tif 000018
【図１７】
2011181146.tif 000019
【図１８】
2011181146.tif 000020
【図１９】
2011181146.tif 000021
【図２０】
2011181146.tif 000022